(57)【要約】【課題】  ジャンパー線の配線及びその変更作業において、その作業性を損なうことなく、隣接するラッピングポストとの短絡を防止できるラッピングツールの提供。【解決手段】  ラッピングポストＰから導線をすくい取る捕捉棒１と、その際、当該捕捉棒１における先端部の側方をその先端より前方から覆う絶縁性を有するサイドカバー２を備え、前記サイドカバー２は、その先端部に導線ラッピング部Ｗが出入りする孔７を備え、前記サイドカバー２の先端から捕捉棒１の先端に至る長さは、前記導線ラッピング部Ｗの長さ以下であり、前記サイドカバー２の内面と捕捉棒１の先端部との間隙は、前記導線Ｌの直径より広いことを特徴とするラッピングツール。【選択図】      図１
2014044910.tif 000002
【特許請求の範囲】
【請求項１】
ラッピングポストから導線をすくい取る捕捉棒と、その際、当該捕捉棒における先端部の側方をその先端より前方から覆う絶縁性を有するサイドカバーを備え、
前記捕捉棒は、その先端部の端面に、前記ラッピングポストを回転自在に収める穴を備えると共に、その先端部に、導線ラッピング部の先端をすくう捕捉片と、当該捕捉片を先端とする螺旋状の誘導溝を備え、
前記サイドカバーは、その先端部に導線ラッピング部が出入りする孔を備え、
前記サイドカバーの先端から捕捉棒の先端に至る長さは、前記導線ラッピング部の長さ以下であり、
前記サイドカバーの内面と捕捉棒の先端部との間隙は、前記導線の直径より広いことを特徴とするラッピングツール。
【請求項２】
前記サイドカバーの先端部における内空部が先窄まりであることを特徴とする前記請求項１に記載のラッピングツール。
【請求項３】
前記サイドカバーは、透視可能であることを特徴とする前記請求項１又は請求項２のいずれかに記載のラッピングツール。
【請求項４】
前記サイドカバーは、着脱自在であることを特徴とする前記請求項１乃至請求項３のいずれかに記載のラッピングツール。
【発明の詳細な説明】
【技術分野】
【０００１】
本発明は、電気通信設備の端子板や端子台（以下、端子台等と記す。）におけるジャンパー配線及びその変更作業に用いるラッピングツール（アンラッピング用を含む。）に関する。
【背景技術】
【０００２】
電気通信設備の端子台等において、簡易に配線及びその変更を行うべく、ジャンパー線のラッピングが広く行われている。
ラッピング用の端子台等は、限られた領域において多様な配線を実現すべく、多種多様な回路に接続されたラッピングポストが多数密集して立設されている。
【０００３】
ジャンパー線をラッピングポストに巻き付けるラッピング作業においては、下記特許文献１に記載の様に、被覆が剥がされ芯線が露出した接続領域の略全域を保持溝に収容しているため、隣接するラッピングポストとラッピングツール又は前記接続領域との短絡の虞は比較的少ない。
【先行技術文献】
【特許文献】
【０００４】
【特許文献１】実公昭０２−０１８５４８号公報
【特許文献２】特開２０１０−２３８５５６号公報
【発明の概要】
【発明が解決しようとする課題】
【０００５】
一方、ジャンパー線をラッピングポストから取り外すアンラッピング作業においては、ラッピングポストから前記接続領域の巻き付けを解除する際、ラッピングポストを中心に前記接続領域の螺旋が側方に拡幅し、隣接するラッピングポストとの間で短絡が生じる例が少なくない。
【０００６】
前記接続領域の巻き付けを解除する過程において前記接続領域の螺旋が隣接するラッピングポストに接触しなかったとしても、ラッピングポストから取り外された前記接続領域のラッピングツールへの巻き付きが不完全であった場合には、ジャンパー線を端子から引き抜く際に、前記接続領域がラッピングツールから外れ、他のラッピングポストに接触する場合もあった（図５（Ｂ）参照）。
【０００７】
本発明は上記実情に鑑みてなされたものであって、ジャンパー線の配線及びその変更作業において、その作業性を損なうことなく、隣接するラッピングポストとの短絡を防止できるラッピングツールの提供を目的とする。
【課題を解決するための手段】
【０００８】
上記課題を解決するためになされた本発明によるラッピングツールは、ラッピングポストから導線をすくい取る捕捉棒と、その際、当該捕捉棒における先端部の側方をその先端より前方から覆う絶縁性を有するサイドカバーを備えるものであって、前記捕捉棒は、その先端部の端面に、前記ラッピングポストを回転自在に収める穴を備えると共に、その先端部に、導線ラッピング部の先端をすくう捕捉片と、当該捕捉片を先端とする螺旋状の誘導溝を備え、前記サイドカバーは、その先端部に導線ラッピング部が出入りする孔を備え、前記サイドカバーの先端から捕捉棒の先端に至る長さは、前記導線ラッピング部の長さ以下であり、前記サイドカバーの内面と捕捉棒の先端部との間隙は、前記導線の直径より広いことを特徴とする。
【０００９】
前記サイドカバーの先端部における内空部が先窄まりの構造を持ったラッピングツールとしてもよいし、前記サイドカバーを透視可能又は着脱自在としても良い。
【発明の効果】
【００１０】
以上の如く、本発明によるラッピングツールによれば、ラッピングポストから前記接続領域の巻き付けを解除する際、ラッピングポストを中心に前記接続領域の螺旋が側方に拡幅しても、絶縁性を有するサイドカバーの存在により隣接するラッピングポストとの間で短絡が生じることを回避することができる他、ラッピングポストから解除された前記接続領域が、その解除を促したラッピングツールに巻き付く際のガイドとしての役割をも果たす。
【００１１】
また、前記サイドカバーの先端部における内空部に先窄まりの構造を与えることによって、ラッピングポストから取り外された前記接続領域のラッピングツールへの巻き付きが不完全であった場合において、ジャンパー線を端子から引き抜く際に、前記接続領域がラッピングツールから外れた場合にあっても、先端部において最も小径である開口部でジャンパー線が保持され、他のラッピングポストに接触することを回避することができる。
【００１２】
これらの結果、例えば、回線停止の虞があった通信ジャンパー線の配線作業が安全に行えることとなり、作業品質と作業効率が向上する。
更に、前記サイドカバーを透視可能とすることによって、ラッピングポストから取り外された前記接続領域のラッピングツールへの巻き付きを確認しながら、ラッピングポストから離脱したジャンパー線を確実に保持することができる。尚、前記サイドカバーを着脱自在とすれば、サイドカバーの劣化やジャンパー線の太さに応じて、大小適当なサイドカバーを交換しつつ使用することができる。
【図面の簡単な説明】
【００１３】
【図１】本発明によるラッピングツールの一例を示す（Ａ）：要部拡大断面図、及び（Ｂ）：底面図である。
【図２】本発明によるラッピングツールの実施態様例（アンラッピング完了時）を示す側方から見た断面図である。
【図３】ラッピング用端子台の一例を示す斜視図である。
【図４】本発明によるラッピングツールの実施態様例（（Ａ）：アンラッピング開始時、（Ｂ）：アンラッピング途中）を示す側方から見た断面図である。
【図５】従来のラッピングツールの実施態様例（（Ａ）：アンラッピング途中、（Ｂ）：アンラッピング完了時）を示す側方から見た断面図である。
【発明を実施するための形態】
【００１４】
以下、本発明によるラッピングツールの実施の形態を図面に基づき説明する。
ラッピング作業は、導線Ｌの被覆を取り除いた部分の基部をラッピングポストＰの根元に配置し、当該根元から先端に向けて一方向に巻きあげる形で導線Ｌを締結するものである（（図２参照）以下、この様にラッピングポストＰに締結されている導線Ｌの被覆を取り除いた部分を導線ラッピング部Ｗと記す）。
【００１５】
図１に示す例は、ラッピングポストＰから導線をすくい取る捕捉棒１と、その際、当該捕捉棒１における先端部の側方をその先端より前方から覆う絶縁性を有するサイドカバー２と、アンラッピング作業の際に操作する持ち手３を備える。
【００１６】
前記捕捉棒１は、鉄やステンレス等の金属からなり、その先端部の端面に、前記ラッピングポストＰをその根元まで回転自在に収める穴４を備えると共に、その先端部に、導線ラッピング部Ｗの先端をすくう捕捉片５と、当該捕捉片５を先端とする螺旋状の誘導溝６を備える。
【００１７】
前記捕捉片５は、当該導線ラッピング部Ｗを先端側からめくり上げるための巻き付け解除方向へ下るスロープ（図１（Ａ）参照）を、ラッピングポストＰを中心として、ラッピングポストＰの表面から遠心方向へ被覆が剥がされた導線Ｌの太さ以上の範囲で備える。
【００１８】
前記誘導溝６は、当該スロープに続いて螺旋状に刻まれた溝であって、当該例における誘導溝６は、前記捕捉片５で一巻き毎のピッチを広めた導線Ｌをその螺旋形状を徐々に遠心方向へ拡幅しつつ誘導する溝であって、前記捕捉棒１の先端側から徐々に又は段階的に大径となる様に刻設された螺旋形状の溝である。
【００１９】
当該例における前記サイドカバー２は、透視可能な合成樹脂等を先窄まりの筒状に成形してなり、その先端部に導線ラッピング部Ｗが出入りする孔７を備える。
前記サイドカバー２は、その基部が前記捕捉棒１の定位置に定着（側面のスロープ又はストッパー８への圧着など）することによって、前記捕捉棒１に対して着脱自在となる。
前記サイドカバー２の先端から捕捉棒１の先端に至る長さは、前記導線ラッピング部Ｗの先端を確実にめくり上げるために、前記導線ラッピング部Ｗの長さ以下とすることが必要である。
【００２０】
また、前記サイドカバー２の内面と前記捕捉棒１の先端部との間隙は、前記導線ラッピング部ＷがラッピングポストＰから離脱するに必要十分な量を遠心方向に拡幅する必要があることから、前記導線Ｌの直径より広いことが必要であって、好ましくは、導線Ｌの硬直性（太さ）に応じてその直径の１．５倍から２倍以上であることが求められる。尚、その上限は、端子台Ｈ等において隣接するラッピングポストＰの間隔やサイドカバー２の厚みに応じて、アンラッピング作業において当該サイドカバー２がストレスなく回転する間隔として必然的に決まるものである。
【００２１】
前記持ち手３は、円筒状又は多角柱状の棒体であって、必要に応じて滑り止め措置を施したものである。当該持ち手３は、前記捕捉棒１の基端部にその一端を連結し、指先で摘んで回せば、前記捕捉棒１がその先端の穴４を中心として一体として回転させ得るものである。尚、当該持ち手３の他端に、ラッピングツール（これに限っては、アンラッピングを行うツールではない。）を同様に連結しても良い。
【００２２】
本発明は、以上の如く構成され、前記導線ラッピング部Ｗが形成されているラッピングポストＰを、上記ラッピングツールの捕捉棒１の穴４に差し入れ、前記捕捉片５の先端を前記導線ラッピング部Ｗの上面で巻き付け解除方向へ滑らせることによって、当該捕捉片５のスロープが当該導線ラッピング部Ｗの先端を捕捉し、めくり上げることとなる。更に回転を継続すれば、当該捕捉片５がその回転に伴って前記導線ラッピング部Ｗの巻き線内に進入し、当該捕捉片５を通過した導線Ｌが当該捕捉片５のスロープに続く誘導溝６の径の広がりに応じて拡幅されつつ、次第に前記捕捉棒１の先端部に巻きとられ、前記サイドカバーの内部に保持・収容されることとなる。
【００２３】
以上の結果、従来、ラッピングポストＰ間での短絡の原因となっていた導線Ｌの被覆が剥がされた部分は、すべて、絶縁体であるサイドカバー２に包まれ、アンラッピング時における短絡事故が回避されることとなる。
【符号の説明】
【００２４】
Ｐ  ラッピングポスト，Ｗ  導線ラッピング部，Ｌ  導線，Ｈ  端子台，
１  捕捉棒，２  サイドカバー，３  持ち手，４  穴，
５  捕捉片，６  誘導溝，７  孔，８  ストッパー，
【図１】
2014044910.tif 000003
【図２】
2014044910.tif 000004
【図３】
2014044910.tif 000005
【図４】
2014044910.tif 000006
【図５】
2014044910.tif 000007